(57)【要約】【課題】複数の建物ユニットがそれぞれ固定された状態で１つの輸送手段に積層載置できるユニット輸送用治具を提供する。【解決手段】建物ユニット２４の輸送用治具１０を、段積みされた複数の建物ユニット２４Ａ、２４Ｂの一方の端部を固定する第１固定部９８、１０２を備えた架台５２と、下端が架台５２に固定され、複数の建物ユニット２４Ａ、２４Ｂの他方の端部を固定する第２固定部１３８、１４２を備えた縦治具５４と、上段側の建物ユニット２４Ｂと下段側の建物ユニット２４Ａとの間に設けられ、一方の端部が架台５２に支持されると共に、他方の端部が縦治具５４に固定された第１横治具１１２と、第１横治具１１２の上面に、平面視で第１横治具１１２と直交するように載置される第２横治具１１４、１１６と、を含んで構成する。【選択図】図２
2020133133.tif 000002
【特許請求の範囲】
【請求項１】
段積みされた複数の建物ユニットの一方の端部を固定する第１固定部を備えた架台と、
下端が前記架台に固定され、前記複数の建物ユニットの他方の端部を固定する第２固定部を備えた縦治具と、
上下に段積みされた前記複数の建物ユニットの上段側の前記建物ユニットと下段側の前記建物ユニットとの間に設けられ、一方の端部が前記架台に支持されると共に、他方の端部が前記縦治具に固定された第１横治具と、
前記第１横治具の上面に、平面視で前記第１横治具と直交するように載置され、上面に前記建物ユニットが載置される第２横治具と、
を含んで構成されたユニット輸送用治具。
【請求項２】
前記複数の建物ユニットは、前記一方の端部が前記架台の前記第１固定部に第１方向から固定され、前記他方の端部が前記縦治具の前記第２固定部に平面視で前記第１方向と直交する第２方向から固定される請求項１に記載のユニット輸送用治具。
【請求項３】
前記架台は、前記第１横治具の前記一方の端部を挟み込むように配置された一対のプレート部を備える請求項１又は請求項２に記載のユニット輸送用治具。
【請求項４】
前記架台は、前記第１固定部に固定された前記建物ユニットが載置される側と前記第１固定部に対して反対側の端部に設けられ、前記第１固定部を補強する補強部を備える請求項１から３の何れか１項に記載のユニット輸送用治具。
【請求項５】
下段側の前記建物ユニットを前記架台に載置する第１工程と、
下段側の前記建物ユニットの一方の端部を前記架台の第１固定部に固定すると共に、下端が前記架台に固定された前記縦治具の第２固定部に下段側の前記建物ユニットの他方の端部を固定する第２工程と、
下段側の前記建物ユニットの上段側に、一方の端部が前記架台に支持されると共に、他方の端部が前記縦治具に固定された前記第１横治具を配置する第３工程と、
前記第１横治具の上面に、平面視で前記第１横治具と直交するように前記第２横治具を載置する第４工程と、
前記第２横治具の上面に上段側の前記建物ユニットを載置する第５工程と、
上段側の前記建物ユニットの一方の端部を前記架台の前記第１固定部に固定すると共に、他方の端部を前記縦治具の第２固定部に固定する第６工程と、
を含んで構成された請求項１から請求項４の何れか１項に記載のユニット輸送用治具を用いた輸送方法。
【発明の詳細な説明】
【技術分野】
【０００１】
本発明は、ユニット輸送用治具及びユニット輸送用治具を用いた輸送方法に関する。
【背景技術】
【０００２】
下記特許文献１には、トラックの荷台に固定され、その上方側に複数のバルコニーユニットが積層載置されたバルコニーユニットの搬送用具が開示されている。これにより、一台のトラックで複数のバルコニーユニットを搬送することができる。
【先行技術文献】
【特許文献】
【０００３】
【特許文献１】特開平９−０７８６８７号公報
【発明の概要】
【発明が解決しようとする課題】
【０００４】
しかしながら、特許文献１に記載された搬送用具によれば、積層載置された複数のバルコニーユニットのうち最下段のユニットだけが搬送用具に固定されている。最下段のユニットよりも上段のユニットは、下段のユニットの上面に載置され、最上段のユニットの上面側から掛けられたロープによりトラックの荷台に固定されている。このため、トラック輸送による振動等によって荷物が安定しない可能性がある。そこで、複数の建物ユニットがそれぞれ固定された状態で１つの輸送手段に積層載置できるユニット輸送用治具を設けることが望ましい。
【０００５】
本発明は、上記事実を考慮し、複数の建物ユニットがそれぞれ固定された状態で１つの輸送手段に積層載置できるユニット輸送用治具を得ることを目的とする。
【課題を解決するための手段】
【０００６】
第１の態様に係るユニット輸送用治具は、段積みされた複数の建物ユニットの一方の端部を固定する第１固定部を備えた架台と、下端が前記架台に固定され、前記複数の建物ユニットの他方の端部を固定する第２固定部を備えた縦治具と、上下に段積みされた前記複数の建物ユニットの上段側の前記建物ユニットと下段側の前記建物ユニットとの間に設けられ、一方の端部が前記架台に支持されると共に、他方の端部が前記縦治具に固定された第１横治具と、前記第１横治具の上面に、平面視で前記第１横治具と直交するように載置され、上面に前記建物ユニットが載置される第２横治具と、を含んで構成されている。
【０００７】
第１の態様に係るユニット輸送用治具によれば、段積みされた複数の建物ユニットの一方の端部が架台の第１固定部に固定される。また、複数の建物ユニットの他方の端部は、縦治具の第２固定部に固定される。これにより、複数の建物ユニットをそれぞれ輸送用治具に固定した状態で１つの輸送手段に積層載置することができる。
【０００８】
さらに、第１の態様に係るユニット輸送用治具によれば、上下段に段積みされた複数の建物ユニットの上段側のユニットと下段側のユニットとの間には、一方の端部が架台に支持されると共に、他方の端部が縦治具に固定された第１横治具が設けられている。また、第１横治具の上面には、平面視で第１横治具と直交するように第２横治具が載置されている。このため、上段側のユニットと下段側のユニットとを直接接触させることなく輸送用治具に積層載置することができる。これにより、複数の建物ユニットを安定して積層載置することができる。
【０００９】
第２の態様に係るユニット輸送用治具は、第１の態様において、前記複数の建物ユニットは、前記一方の端部が前記架台の前記第１固定部に第１方向から固定され、前記他方の端部が前記縦治具の前記第２固定部に平面視で前記第１方向と直交する第２方向から固定される。
【００１０】
第２の態様に係るユニット輸送用治具によれば、複数の建物ユニットは、一方の端部が第１固定部に第１方向から固定されると共に、他方の端部が第２固定部に第１方向と平面視で直交する第２方向から固定されている。このため、例えば、複数の建物ユニットの重心が、輸送用治具の中央部からずれるような場合であっても、複数の建物ユニットを安定して固定することができる。これにより、複数の建物ユニットを安定して輸送することができる。
【００１１】
第３の態様に係るユニット輸送用治具は、第１又は第２の態様の何れか１の態様において、前記架台は、前記第１横治具の前記一方の端部を挟み込むように配置された一対のプレート部を備えている。
【００１２】
第３の態様に係るユニット輸送用治具によれば、架台には、第１横治具の一方の端部を挟み込むように配置された一対のプレート部が備えられている。このため、第１横治具は、架台に安定的に支持される。これにより、建物ユニットと第２横治具が載置される第１横治具を安定的に支持することができる。
【００１３】
第４の態様に係るユニット輸送用治具は、第１から第３の態様の何れか１の態様において、前記架台は、前記第１固定部に固定された前記建物ユニットが載置される側と前記第１固定部に対して反対側の端部に設けられ、前記第１固定部を補強する補強部を備えている。
【００１４】
第４の態様に係るユニット輸送用治具によれば、架台の第１固定部に固定された建物ユニットが載置される側と第１固定部に対して反対側の端部に、補強部が備えられ、第１固定部が補強されている。このため、建物ユニットが固定される第１固定部の強度を補強することができる。また、例えば、同じ向きに複数の建物ユニットが積層載置されることにより、複数の建物ユニットの重心位置が、輸送用治具の中央部から離れた位置に設けられる場合であっても、輸送用治具全体としての重心位置の偏りを抑制することができる。これにより、複数の建物ユニットを輸送用治具に安定して固定することができる。
【００１５】
第５の態様に係る第１の態様から第４の態様の何れか１の態様に記載のユニット輸送用治具を用いた輸送方法は、下段側の前記建物ユニットを前記架台に載置する第１工程と、下段側の前記建物ユニットの一方の端部を前記架台の第１固定部に固定すると共に、下端が前記架台に固定された前記縦治具の第２固定部に下段側の前記建物ユニットの他方の端部を固定する第２工程と、下段側の前記建物ユニットの上段側に、一方の端部が前記架台に支持されると共に、他方の端部が前記縦治具に固定された前記第１横治具を配置する第３工程と、前記第１横治具の上面に、平面視で前記第１横治具と直交するように前記第２横治具を載置する第４工程と、前記第２横治具の上面に上段側の前記建物ユニットを載置する第５工程と、上段側の前記建物ユニットの一方の端部を前記架台の前記第１固定部に固定すると共に、他方の端部を前記縦治具の第２固定部に固定する第６工程と、を含んで構成されている。
【００１６】
第５の態様に係るユニット輸送用治具を用いた輸送方法によれば、第１工程において架台の上面側に載置された下段側の建物ユニットは、第２工程において架台の第１固定部と縦治具の第２固定部とに固定される。このため、下段側の建物ユニットは、輸送用治具に安定して固定される。また、第５工程において第１横治具と平面視で直交するように載置された第２横治具の上面に載置された上段側の建物ユニットは、第６工程において架台の第１固定部と縦治具の第２固定部とに固定される。このため、上段側の建物ユニットは、輸送用治具に安定して固定される。これにより、複数の建物ユニットがそれぞれ固定された状態で積層載置された輸送用治具を１つの輸送手段に積載して輸送することができる。
【発明の効果】
【００１７】
以上説明したように、第１の態様に係るユニット輸送用治具は、複数の建物ユニットがそれぞれ固定された状態で１つの輸送手段に積層載置できるという優れた効果を有する。
【００１８】
第２の態様に係るユニット輸送用治具は、建物ユニットの重心が、輸送用治具の中央部からずれるような場合であっても、これらのユニットを輸送用治具に安定して固定することができるという優れた効果を有する。
【００１９】
第３の態様に係るユニット輸送用治具は、建物ユニットと第２横治具が載置される第１横治具を安定的に支持することができるという優れた効果を有する。
【００２０】
第４の態様に係るユニット輸送用治具は、複数の建物ユニットが固定された第１固定部の強度を補強することができると共にこれらのユニットが載置された輸送用治具の重心位置が偏ることを抑制することができるという優れた効果を有する。
【００２１】
第５の態様に係るユニット輸送用治具を用いた輸送方法は、複数の建物ユニットがそれぞれ固定された状態で積層載置された輸送用治具を１つの輸送手段に積載して輸送することができるという優れた効果を有する。
【図面の簡単な説明】
【００２２】
【図１】本実施形態に係る建物ユニットが適用された建物の２階部分を示す平面図である。
【図２】本実施形態に係るユニット輸送用治具の斜視図である。
【図３】本実施形態に係るユニット輸送用治具の側面図である。
【図４】本実施形態に係るユニット輸送用治具を用いた輸送方法の第１工程を示した斜視図である。
【図５】本実施形態に係るユニット輸送用治具を用いた輸送方法の第２工程を示した斜視図である。
【図６】本実施形態に係るユニット輸送用治具を用いた輸送方法の第３工程を示した斜視図である。
【図７】本実施形態に係るユニット輸送用治具を用いた輸送方法の第４工程を示した斜視図である。
【図８】本実施形態に係るユニット輸送用治具を用いた輸送方法の第５工程を示した斜視図である。
【図９】本実施形態に係るユニット輸送用治具を用いた輸送方法の第６工程における上段の外廊下ユニットの第１固定部への固定を示した斜視図である。
【図１０】本実施形態に係るユニット輸送用治具を用いた輸送方法の第６工程における上段の外廊下ユニットの第２固定部への固定を示した斜視図である。
【発明を実施するための形態】
【００２３】
以下、図１〜図１０を用いて、本発明に係るユニット輸送用治具の一実施形態について説明する。なお、これらの図において適宜示される矢印ＵＰは輸送用治具の治具上方側を示している。
【００２４】
（ユニット式建物の構成）
図１には、ユニット式建物により構成された建物１２の一例として、複数の住戸を有する二階建ての集合住宅１４（例えばアパートやマンション）の２階部分を示す平面図が示されている。集合住宅１４は、図示しない基礎上に固定され、複数の建物ユニットとしての箱型ユニット１６が互いに連結されることによって構成されており、一階部分（図示省略）と２階部分１４Ａとを有する２階建てユニット式建物として構成されている。ここでは、「建物ユニット」とは、箱型ユニット１６及び後述する外廊下ユニット２４やバルコニーユニット等も含めたユニット式建物を構成するためのユニットを総称する。
【００２５】
集合住宅１４の２階部分１４Ａには、複数の箱型ユニット１６が連結されることにより構成され、横並びに（集合住宅１４の長手方向に沿って）設けられた複数の住戸１８と、各住戸１８に通じる共用廊下を形成する外廊下２０と、が設けられている。各住戸１８はそれぞれ内部に居住空間１８Ａ（住戸内空間）を有しており、各住戸１８の内側の居住空間１８Ａは仕切壁２２により外廊下２０と仕切られている。
【００２６】
外廊下２０は、複数の建物ユニットとしての外廊下ユニット２４が連結されることにより構成され、各住戸１８の並び方向（集合住宅１４の長手方向）に延在されている。外廊下２０は、屋外に開放された屋外廊下とされており、外廊下２０の屋外側となる外廊下軒先側には、腰壁を形成する腰壁部３４が設けられている。また、外廊下２０は共用外階段２８に通じており、その共用外階段２８を介して一階部分への行き来が可能とされている。
【００２７】
図４には、外廊下ユニット２４の斜視図が示されている。外廊下ユニット２４は、廊下を形成する床部３２と、外廊下軒先側に形成された腰壁部３４と、を含んで構成されている。床部３２は、その外廊下軒先側に集合住宅１４の長手方向に沿って配置された床大梁３６と、集合住宅１４の長手方向に沿って所定の間隔を空けて配置され、集合住宅１４の短手方向に沿って延在された複数の床小梁３８と、を含んで構成されている。
【００２８】
床大梁３６は、外廊下２０の内側（住戸１８側）へ向けて開放された溝形鋼により構成されている。また、床小梁３８は、集合住宅１４の長手方向へ向けて開放された溝形鋼により構成されている。複数の床小梁３８は、その外廊下軒先側の端部が接合された床大梁３６の溝部３６Ａと各住戸１８の箱型ユニット１６の床フレームを構成する住戸側床大梁（図示省略）との間に架け渡されている。床小梁３８の住戸１８側（外廊下根元側）の端部には、床小梁３８の上方側のフランジ部の端部と下方側のフランジ部の端部を繋ぐように板状に形成された補助プレート３９が接合されている。また、床小梁３８のうち所定の位置に配置された床小梁３８の外廊下根元側端部には、取付ブラケット４０が接合されている。取付ブラケット４０は、板状に形成され、内側には、住戸側床大梁にボルト締結するための孔部４０Ａがその板厚方向に沿って貫通形成されている。
【００２９】
床大梁３６の上側フランジ部３６Ｂ及び床小梁３８の上面には、床大梁３６の長手方向（集合住宅１４の長手方向）に沿って板状に形成され、外廊下２０の排水溝を構成する溝用プレート４２が配置されている。床小梁３８の上面には、床大梁３６の長手方向に沿って延在された複数の床板支持梁４４が、床大梁３６の長手方向の両端部に配置された床小梁３８との間に架け渡されている。複数の床板支持梁４４は、外廊下軒先側へ向けて開放された溝形鋼により形成され、溝用プレート４２の外廊下根元側から床小梁３８の外廊下根元側端部に亘って所定の間隔を空けて複数本配置されている。
【００３０】
外廊下軒先側の床板支持梁４４は、溝用プレート４２の外廊下根元側端部に沿って配置されている。このため、外廊下軒先側の床板支持梁４４と溝用プレート４２により排水溝を構成するための段差（溝）が形成されている。床板支持梁４４の上面には、板状に形成され、外廊下２０の床面を構成する廊下用プレート４６が配置されている。
【００３１】
床大梁３６のウエブ３６Ｃの外廊下軒先側の面には、腰壁部３４が接合されている。腰壁部３４は、床大梁３６のウエブ３６Ｃに接合されると共に建物上方側へ向けて延在された柱部３４Ａと、柱部３４Ａの外側及び内側に図示しないビスによりそれぞれ固定された外壁パネル３４Ｂ及び内壁パネル３４Ｃと、を含んで構成されている。また、柱部３４Ａは、下端部に設けられた固定部材４８（図６参照）が床大梁３６のウエブ３６Ｃにボルト締結されている。外壁パネル３４Ｂ及び内壁パネル３４Ｃは、例えば、サイディング材により構成されている。内壁パネル３４Ｃのユニット下方側には、取付部材３４Ｄが取り付けられており、取付部材３４Ｄの上端から溝用プレート４２の上面に亘って図示しない防水用シートが取り付けられている。
【００３２】
（輸送用治具の構成）
図２には、外廊下ユニット２４を段積み（積層載置）するための輸送用治具１０の斜視図が示されている。輸送用治具１０の治具下方側には、複数の外廊下ユニット２４Ａ、２４Ｂ（図３参照）を積層載置すると共に固定する架台５２が形成されている。
【００３３】
架台５２は、載置される外廊下ユニット２４の長手方向に沿った方向が長手方向とされている（図３参照）。複数の外廊下ユニット２４が積層載置された架台５２は、輸送手段、例えば、トラックの荷台の上面に載置される。
【００３４】
架台５２は、その下部を形成する梁部５６と、梁部５６の上面に形成された桁部５８と、を含んで構成されている。梁部５６は、角形鋼管により形成され、平面視で架台５２の長手方向と直交する第１方向としての架台短手方向に延在された複数の梁部材５６Ａを含んで構成されている。梁部材５６Ａは、架台５２の長手方向両端部と長手方向略中央部に配置されている。ここで、架台５２の一方の長手方向端部としての架台第１端部に配置された梁部材５６Ａを第１梁部材６２、他方の長手方向端部としての架台第２端部に配置された梁部材５６Ａを第２梁部材６４と称する。また、架台５２の長手方向略中央部に配置された梁部材５６Ａを第３梁部材６６と称する。第１梁部材６２と第３梁部材６６の間には、２本の梁部材５６Ａが配置されている。これらのうち架台５２の長手方向中央部に近い側の梁部材５６Ａを第４梁部材６８、架台第１端部側の梁部材５６Ａを第５梁部材７０と称する。第５梁部材７０は、外廊下ユニット２４の大きさ（長さ）に応じて、架台５２の長手方向の位置が設定される。さらに、第２梁部材６４と第３梁部材６６の間にも梁部材５６Ａが設けられており、これを第６梁部材７２と称する。
【００３５】
第３梁部材６６の架台５２の長手方向両側には、梁部材５６Ａと共に梁部５６を構成する持上用部材５６Ｂがそれぞれ配置されている。持上用部材５６Ｂには、その幅（架台５２の長手方向の長さ）が梁部材５６Ａの幅よりも長い角形鋼管が用いられている。具体的には、持上用部材５６Ｂの幅は、例えば、フォークリフトのフォーク（ツメ）が、角形鋼管の管内に挿入できる程度の長さに設定されている。
【００３６】
梁部５６の治具上方側には、桁部５８が形成されている。桁部５８は、第１梁部材６２から第２梁部材６４に亘って架台５２の長手方向に沿って延在され、梁部５６の上面に接合された複数の桁部材５８Ａを含んで構成されている。桁部材５８Ａは、架台５２の短手方向の両端部に配置されると共に外廊下ユニット２４が積層載置される側に複数（２本）配置されている。ここで、外廊下ユニット２４が積層載置される架台５２の一方の短手方向端部としての第１短手方向端部に配置された桁部材５８Ａを第１桁部材８２、架台５２の他方の短手方向端部としての第２短手方向端部に配置された桁部材５８Ａを第２桁部材８４、と称する。第１桁部材８２は、治具下方側へ向けて開放された溝形鋼により形成され、第２桁部材８４は、角形鋼管により形成されている。また、第１桁部材８２と第２桁部材８４の間には、外廊下ユニット２４が積層載置される２本の桁部材５８Ａが配置されている。これらのうち、第１短手方向端部側に配置された桁部材５８Ａを第３桁部材８６と称し、第２短手方向端部側に配置された桁部材５８Ａを第４梁部材８８と称する。第３桁部材８６と第４桁部材８８は、角形鋼管により形成されている。
【００３７】
第５梁部材７０以外の梁部材５６Ａには、第４桁部材８８と第２桁部材８４の間の位置に複数の下段用縦部材９２及び上段用縦部材９４が配置されている。複数の下段用縦部材９２は、架台５２の長手方向へ向けて開放され、治具上方側へ向けて延在された溝形鋼により構成されている。また、複数の上段用縦部材９４は、下段用縦部材９２よりも第２短手方向端部側に配置されている。複数の上段用縦部材９４は、架台５２の長手方向へ向けて開放され、治具上方側へ向けて延在された溝形鋼により構成されている。
【００３８】
複数の下段用縦部材９２の第１短手方向端部側のフランジ９２Ａには、架台５２の長手方向に沿って延在された下段用桁材９６がボルト締結されている。下段用桁材９６は、第１短手方向端部側へ向けて開放され、架台５２の長手方向両端部に亘って延在された溝形鋼により構成されている。下段用桁材９６のウエブ９６Ａには、第１固定部としての下側第１固定部９８が形成されている。下側第１固定部９８は、架台５２に積層載置される下段側の外廊下ユニット２４Ａの取付ブラケット４０（図３参照）の位置に対応して形成されている。下側第１固定部９８には、下段用桁材９６のウエブ９６Ａの板厚方向（架台５２の短手方向）に沿ってボルト挿通孔９８Ａが貫通形成されている。架台５２に載置された下段側の外廊下ユニット２４Ａの取付ブラケット４０は、下側第１固定部９８のボルト挿通孔９８Ａを介して下段用桁材９６にボルト締結される。
【００３９】
複数の上段用縦部材９４の第１短手方向端部側のフランジ９４Ａには、架台５２の長手方向に沿って延在された上段用桁材１００がボルト締結されている。上段用桁材１００は、第１短手方向端部側へ向けて開放され、架台５２の長手方向両端部に亘って延在された溝形鋼により構成されている。上段用桁材１００のウエブ１００Ａには、第１固定部としての上側第１固定部１０２が形成されている。上側第１固定部１０２は、架台５２に積層載置される上段側の外廊下ユニット２４Ｂの取付ブラケット４０（図３参照）の位置に対応して形成されている。上側第１固定部１０２には、上段用桁材１００のウエブ１００Ａの板厚方向（架台５２の短手方向）に沿ってボルト挿通孔１０２Ａが貫通形成されている。架台５２に載置された上段側の外廊下ユニット２４Ｂの取付ブラケット４０は、上側第１固定部１０２のボルト挿通孔１０２Ａを介して上段用桁材１００にボルト締結されている。
【００４０】
複数の上段用縦部材９４の第１短手方向端部側のフランジ９４Ａには、上段用桁材１００の治具下方側において、架台５２の長手方向両端部に亘って延在された支持部材１０４が接合されている。支持部材１０４は、縦壁１０４Ａが架台上方側へ向けて延在されると共に横壁１０４Ｂが第１短手方向端部側へ向けて延在された山形鋼により構成され、縦壁１０４Ａがフランジ９４Ａに接合されている。
【００４１】
支持部材１０４の第１梁部材６２、第２梁部材６４及び第５梁部材７０側には、一対のプレート部としての一対の固定用プレート１０６が設けられている。固定用プレート１０６は、架台５２の長手方向を板厚方向とし、その二辺が縦壁１０４Ａの第１短手方向端部側と横壁１０４Ｂの治具上方側に接する略三角形状に形成され、縦壁１０４Ａと横壁１０４Ｂとに接合されている。一対の固定用プレート１０６は、後述する第１横治具１１２の幅（架台５２の長手方向長さ）に合わせた間隔を空けて支持部材１０４に接合されている。これにより、支持部材１０４に支持された第１横治具１１２が架台５２の長手方向にスライドすることを防止することができる。
【００４２】
図３に示されるように、外廊下ユニット２４が積層載置される架台５２の第１短手方向端部と上側第１固定部１０２に対して反対側の端部となる架台５２の第２短手方向端部側には、第５梁部材７０以外の梁部材５６Ａに、補強部としての補強部材１０８が配置されている。補強部材１０８は、架台５２の長手方向へ向けて開放され、梁部材５６Ａの第２短手方向端部側から第１短手方向端部側かつ治具上方側へ向けて延在された溝形鋼により構成されている。補強部材１０８の下端部は、梁部材５６Ａの側面に接合され、上端部が上段用縦部材９４の治具上方側に接合されている。
【００４３】
図２に示されるように、第１梁部材６２の上面には、第１桁部材８２と第３桁部材８６の間に、治具上方側に延在された縦治具としての第１縦治具１２２が配置されている。第１縦治具１２２は、第１縦固定部材１５２を介して第１梁部材６２の上面に固定されている。第１縦固定部材１５２は、山形鋼で形成され、その縦壁が、第１縦治具１２２の第２短手方向端部側のフランジにボルト締結されると共に、横壁が第１梁部材６２の上面にボルト締結されている。また、第１縦治具１２２の第１短手方向端部側のフランジの下端部は、隣接する第１桁部材８２の側部８２Ａにボルト締結されている（図示省略）。
【００４４】
図３に示されるように、第２梁部材６４の上面には、第１桁部材８２と第３桁部材８６の間に、治具上方側に延在された縦治具としての第２縦治具１２４が配置されている。第２縦治具１２４は、第２縦固定部材１５４を介して第２梁部材６４の上面に固定されている。第２縦固定部材１５４は、山形鋼で形成され、その縦壁が、第２縦治具１２４の第２短手方向端部側のフランジにボルト締結されると共に、横壁が第２梁部材６４の上面にボルト締結されている。また、第２縦治具１２４の第１短手方向端部側のフランジの下端部は、隣接する第１桁部材８２の側部８２Ａにボルト締結されている。
【００４５】
図２に示されるように、第５梁部材７０の上面には、第１桁部材８２と第３桁部材８６の間で、架台上方側に延在された縦治具としての第３縦治具１２６が配置されている。第３縦治具１２６は、第３縦固定部材１５６を介して第５梁部材７０の上面に固定されている。第３縦固定部材１５６は、山形鋼で形成され、その縦壁が、第５梁部材７０の第２短手方向端部側のフランジにボルト締結されると共に、横壁が第５梁部材７０の上面にボルト締結されている。また、第３縦治具１２６の第１短手方向端部側のフランジの下端部は、隣接する第１桁部材８２の側部８２Ａにボルト締結されている（図示省略）。
【００４６】
図３に示されるように、第２縦治具１２４のウエブ１２４Ａの治具下方側には、下段側の外廊下ユニット２４Ａを固定するための第２固定部としての下側第２固定部１３８が形成されている。下側第２固定部１３８は、架台５２に積層載置される下段側の外廊下ユニット２４Ａの治具上下方向位置に対応して形成されている。下側第２固定部１３８には、第２縦治具１２４のウエブ１２４Ａの板厚方向（架台５２の長手方向）に沿ってボルト挿通孔１３８Ａが貫通形成されている。架台５２に載置された下段側の外廊下ユニット２４Ａの長手方向端部は、外廊下ユニット２４Ａの長手方向端部に形成された図示しないボルト挿通孔と下側第２固定部１３８のボルト挿通孔１３８Ａに挿通されたボルトにより第２縦治具１２４に第２方向としての架台５２の長手方向から固定されている。
【００４７】
図５及び図４に示されるように、第３縦治具１２６のウエブ１２６Ａの治具下方側には、下段側の外廊下ユニット２４Ａを固定するための第２固定部としての下側第２固定部１３８が形成されている。下側第２固定部１３８は、架台５２に積層載置される下段側の外廊下ユニット２４Ａの治具上下方向位置に対応して形成されている。下側第２固定部１３８には、第３縦治具１２６のウエブ１２６Ａの板厚方向（架台５２の長手方向）に沿ってボルト挿通孔１３８Ａが貫通形成されている。架台５２に載置された下段側の外廊下ユニット２４Ａの長手方向端部は、外廊下ユニット２４Ａの長手方向端部に形成された図示しないボルト挿通孔と下側第２固定部１３８のボルト挿通孔１３８Ａに挿通されたボルトにより第３縦治具１２６に架台５２の長手方向から固定されている。
【００４８】
図６に示されるように、架台５２に載置された下段側の外廊下ユニット２４Ａの治具上方側には、上段側の外廊下ユニット２４Ｂを載置するために第１横治具１１２と第２横治具１１４、１１６が配置されている。第１横治具１１２は、架台５２の短手方向に沿って延在された角形鋼管により構成され、架台５２の複数箇所（３箇所）に配置されている。複数の第１横治具１１２の第１短手方向端部側の端部は、第１縦治具１２２、第２縦治具１２４及び第３縦治具１２６にそれぞれ固定され、第２短手方向端部側の端部は、支持部材１０４に支持されている。架台５２に配置された第１横治具１１２の上面には、平面視で第１横治具１１２と直交する方向（架台５２の長手方向）に沿って延在され、角形鋼板で構成された第２横治具１１４、１１６が配置されている。
【００４９】
図２に示されるように、第１縦治具１２２に固定された第１横治具１１２の第１短手方向端部側の端部は、第１縦治具１２２のウエブ１２２Ａの治具上方側に形成された第３固定部１３２に固定されている。第３固定部１３２には、第１縦治具１２２のウエブ１２２Ａの板厚方向（架台５２の長手方向）に沿ってボルト挿通孔（図示省略）が貫通形成されている。第１横治具１１２の第１短手方向端部側の端部は、第１横治具１１２に形成された図示しないボルト挿通孔及び第３固定部１３２のボルト挿通孔に挿通されたボルトにより第１縦治具１２２に固定されている。
【００５０】
図３に示されるように、第２縦治具１２４に固定された第１横治具１１２の第１短手方向端部側の端部は、第２縦治具１２４のウエブ１２４Ａの治具上方側に形成された第３固定部１３２に固定されている。第３固定部１３２には、第２縦治具１２４のウエブ１２４Ａの板厚方向（架台５２の長手方向）に沿ってボルト挿通孔１３２Ａが貫通形成されている。第１横治具１１２の第１短手方向端部側の端部は、第１横治具１１２に形成された図示しないボルト挿通孔及び第３固定部１３２のボルト挿通孔１３２Ａに挿通されたボルトにより第２縦治具１２４に固定されている。
【００５１】
図５及び図４に示されるように、第１縦治具１２２に固定された第１横治具１１２の第１短手方向端部側の端部は、第１縦治具１２２のウエブ１２２Ａの治具上方側に形成された第３固定部１３２に固定されている。第３固定部１３２には、第１縦治具１２２のウエブ１２２Ａの板厚方向（架台５２の長手方向）に沿ってボルト挿通孔１３２Ａが貫通形成されている。第１横治具１１２の第１短手方向端部側の端部は、第１横治具１１２に形成された図示しないボルト挿通孔及び第３固定部１３２のボルト挿通孔１３２Ａに挿通されたボルトにより第１縦治具１２２に固定されている。
【００５２】
図３に示されるように、第２縦治具１２４及び第３縦治具１２６に固定された第１横治具１１２の上面の第１短手方向端部側に第２横治具１１４が載置されている。また、第１縦治具１２２、第２縦治具１２４及び第３縦治具１２６に固定された第１横治具１１２の上面の第２短手方向端部側に第２横治具１１６が載置されている。第２横治具１１４、１１６の架台５２の短手方向の両側の第１横治具１１２の上面には、山形鋼により形成された係止部材１１８が取り付けられている。これにより、第２横治具１１４、１１６が架台５２の短手方向にスライドすることを防止されている。
【００５３】
第２縦治具１２４のウエブ１２４Ａの治具上方側には、上段側の外廊下ユニット２４Ｂを固定するための第２固定部としての上側第２固定部１４２が形成されている。上側第２固定部１４２は、架台５２に積層載置される上段側の外廊下ユニット２４Ｂの治具上下方向位置に対応して形成されている。上側第２固定部１４２には、第２縦治具１２４のウエブ１２４Ａの板厚方向（架台５２の長手方向）に沿ってボルト挿通孔１４２Ａが貫通形成されている。架台５２に載置された上段側の外廊下ユニット２４Ｂの長手方向端部は、外廊下ユニット２４Ｂの長手方向両端部に形成された図示しないボルト挿通孔と上側第２固定部１４２のボルト挿通孔１４２Ａに挿通されたボルトにより第２縦治具１２４に第２方向としての架台５２の長手方向から固定されている。
【００５４】
図４及び図９に示されるように、第３縦治具１２６のウエブ１２６Ａの治具上方側には、上段側の外廊下ユニット２４Ｂを固定するための第２固定部としての上側第２固定部１４２が形成されている。上側第２固定部１４２は、架台５２に積層載置される上段側の外廊下ユニット２４Ｂの治具上下方向位置に対応して形成されている。上側第２固定部１４２には、第３縦治具１２６のウエブ１２６Ａの板厚方向（架台５２の長手方向）に沿ってボルト挿通孔１４２Ａが貫通形成されている。架台５２に載置された上段側の外廊下ユニット２４Ｂの長手方向端部は、外廊下ユニット２４Ｂの長手方向両端部に形成された図示しないボルト挿通孔と上側第２固定部１４２のボルト挿通孔１４２Ａに挿通されたボルトにより第３縦治具１２６に架台５２の長手方向から固定されている。
【００５５】
次に、本実施形態に係る外廊下ユニット２４Ａ、２４Ｂの輸送用治具１０を用いた輸送方法の説明を通じて作用並びに効果について説明する。
【００５６】
外廊下ユニット２４Ａ、２４Ｂの輸送方法は、外廊下ユニット２４Ａ、２４Ｂを輸送用治具１０に載置する６つの工程を含んで構成されている。第１工程では、図４に示されるように、下段側の外廊下ユニット２４Ａが架台５２に載置される。具体的には、例えば、図示しないクレーン等により吊り込まれた下段側の外廊下ユニット２４Ａは、その腰壁部３４が第１短手方向端部側に位置するように降ろされ、第１桁部材８２、第３桁部材８６及び第４桁部材８８の上面に載置される。
【００５７】
第２工程では、図５に示されるように、下段側の外廊下ユニット２４Ａは、架台５２の下側第１固定部９８と下側第２固定部１３８に固定される。具体的には、架台５２に載置された下段側の外廊下ユニット２４Ａは、根元側端部に設けられた取付ブラケット４０の孔部４０Ａと下段用桁材９６の下側第１固定部９８のボルト挿通孔９８Ａを介して下側第１固定部９８にボルト締結される。これにより、下段側の外廊下ユニット２４Ａの根元側端部は、架台５２にその短手方向から固定される。
【００５８】
下段側の外廊下ユニット２４Ａの架台第２端部側の端部は、その長手方向端部に形成されたボルト挿通孔と第２縦治具１２４の下側第２固定部１３８に貫通形成されたボルト挿通孔１３８Ａを介して下側第２固定部１３８にボルト締結される。また、外廊下ユニット２４Ａの架台第１端部側の端部は、その長手方向端部に形成されたボルト挿通孔と第３縦治具１２６の下側第２固定部１３８に貫通形成されたボルト挿通孔１３８Ａを介して下側第２固定部１３８にボルト締結される。これにより、下段側の外廊下ユニット２４Ａの根元側端部は、架台５２にその長手方向両側から固定される。
【００５９】
第３工程では、図６に示されるように、下段側の外廊下ユニット２４Ａの治具上方側において、第１縦治具１２２、第２縦治具１２４及び第３縦治具１２６に、それぞれ第１横治具１１２が配置される。具体的には、第１横治具１１２の一方の端部としての架台５２の第２短手方向端部側の端部は、架台５２の支持部材１０４の横壁１０４Ｂの上面に配置される。このとき、第１横治具１１２は、支持部材１０４に取り付けられた一対の固定用プレート１０６の間に配置される。このため、第１横治具１１２は、支持部材１０４の横壁の１０４Ｂをスライドすることなく支持部材１０４に安定して支持されている。
【００６０】
複数の第１横治具１１２の第２短手方向端部側の端部は、第１縦治具１２２、第２縦治具１２４及び第３縦治具１２６に、それぞれ固定される。具体的には、第１横治具１１２は、第１縦治具１２２、第２縦治具１２４及び第３縦治具１２６に形成された第３固定部１３２にボルト締結によりそれぞれ固定される。
【００６１】
第４工程では、図７に示されるように、第１横治具１１２の上面に、第２横治具１１４、１１６が、第１横治具１１２と平面視で直交するように架台５２の長手方向に沿って載置される。具体的には、第２縦治具１２４及び第３縦治具１２６に固定された第１横治具１１２の上面の第１短手方向端部側に第２横治具１１４が載置される。また、第１縦治具１２２、第２縦治具１２４及び第３縦治具１２６に固定された第１横治具１１２の上面の第２短手方向端部側に第２横治具１１６が載置される。ここで、第２横治具１１４、１１６は、第１横治具１１２の上面に取り付けられた一対の係止部材１１８の間に載置される。これにより、第２横治具１１４、１１６は、第１横治具１１２の上面を架台５２の短手方向にスライドすることを防止した上で、第１横治具１１２に安定して載置される。
【００６２】
第５工程では、図８に示されるように、上段側の外廊下ユニット２４Ｂが第２横治具１１４、１１６の上面に載置される。具体的には、例えば、図示しないクレーン等により吊り込まれた上段側の外廊下ユニット２４Ｂは、その腰壁部３４が第１短手方向端部側に位置するように降ろされ、第２横治具１１４、１１６の上面に載置される。
【００６３】
第６工程では、図９に示されるように、上段側の外廊下ユニット２４Ｂは、架台５２の上側第１固定部１０２と上側第２固定部１４２に固定される。具体的には、第２横治具１１４、１１６に載置された上段側の外廊下ユニット２４Ｂは、根元側端部に設けられた取付ブラケット４０の孔部４０Ａと上段用桁材１００の上側第１固定部１０２のボルト挿通孔１０２Ａを介して上側第１固定部１０２にボルト締結される。これにより、上段側の外廊下ユニット２４Ｂの根元側端部が架台５２にその短手方向から固定される。
【００６４】
さらに、第６工程では、図１０に示されるように、上段側の外廊下ユニット２４Ｂの架台第２端部側の端部は、その端部に形成されたボルト挿通孔と第２縦治具１２４の上側第２固定部１４２に貫通形成されたボルト挿通孔１４２Ａを介して上側第２固定部１４２にボルト締結される。また、上段側の外廊下ユニット２４Ｂの架台第１端部側の端部は、その端部に形成されたボルト挿通孔と第３縦治具１２６の上側第２固定部１４２に貫通形成されたボルト挿通孔１４２Ａを介して上側第２固定部１４２にボルト締結される。これにより、上段側の外廊下ユニット２４Ｂの長手方向根元側が架台５２に固定される。
【００６５】
下段側の外廊下ユニット２４Ａと上段側の外廊下ユニット２４Ｂが固定された輸送用治具１０は、例えば、持上用部材５６Ｂの端部にフォーク（ツメ）が挿入されたフォークリフト等により持ち上げられる。持ち上げられた架台５２は、輸送手段である、例えば、トラック等の荷台に載置されると共に固定される。これにより、下段側の外廊下ユニット２４Ａと上段側の外廊下ユニット２４Ｂの複数の外廊下ユニット２４Ａ、２４Ｂが架台５２に固定された状態で１台のトラック等の輸送手段により輸送することができる。
【００６６】
本実施形態に係る外廊下ユニット２４Ａ、２４Ｂの輸送用治具１０によれば、段積みされた複数の外廊下ユニット２４Ａ、２４Ｂの根元側端部が架台５２の下側第１固定部９８及び上側第１固定部１０２に固定される。また、複数の外廊下ユニット２４Ａ、２４Ｂの長手方向両端部は、第２縦治具１２４の下側第２固定部１３８及び上側第２固定部１４２に固定されると共に及び第３縦治具１２６の下側第２固定部１３８及び上側第２固定部１４２に固定される。このため、複数の外廊下ユニット２４Ａ、２４Ｂは、架台５２の短手方向とこれに平面視で直交する架台５２の長手方向の両方からそれぞれ固定される。これにより、複数の外廊下ユニット２４Ａ、２４Ｂを輸送用治具１０に安定して固定した状態で、例えば、トラック等の１つの輸送手段に搭載することができる。
【００６７】
本実施形態に係る外廊下ユニット２４Ａ、２４Ｂの輸送用治具１０によれば、上下段に段積みされた下段側の外廊下ユニット２４Ａと上段側の外廊下ユニット２４Ｂとの間には、第１横治具１１２及び第２横治具１１４、１１６が設けられている。このため、上段側の外廊下ユニット２４Ｂの下部を安定して支持することができると共に上段側の外廊下ユニット２４Ｂと下段側の外廊下ユニット２４Ａとの直接接触や干渉を防止又は抑制することができる。これにより、複数の外廊下ユニット２４Ａ、２４Ｂを安定して輸送用治具１０に積層載置することができる。
【００６８】
さらに、本実施形態に係る外廊下ユニット２４Ａ、２４Ｂの輸送用治具１０によれば、架台５２の第２短手方向端部には、補強部材１０８が配置され、上段用縦部材９４及び上段用桁材１００が補強されている。このため、外廊下ユニット２４Ｂが固定された上側第１固定部１０２の強度を補強することができる。また、例えば、複数の外廊下ユニット２４Ａ、２４Ｂの腰壁部３４を、いずれも架台５２の短手方向第１桁部材８２側に配置することにより、複数の外廊下ユニット２４Ａ、２４Ｂの重心位置が、輸送用治具１０の中央部から離れた位置に設けられる場合であっても、輸送用治具１０全体としての重心位置の偏りを抑制することができる。これにより、複数の外廊下ユニット２４Ａ，２４Ｂを輸送用治具１０に安定して固定することができる。
【００６９】
また、本実施形態に係る外廊下ユニット２４Ａ、２４Ｂの輸送用治具１０によれば、架台５２の支持部材１０４には、一対の固定用プレート１０６が設けられている。このため、例えば、トラックに積層載置された外廊下ユニット２４Ａ、２４Ｂが、トラックの発進及び停止による慣性力を受けた場合であっても、第２横治具１１４、１１６を支持する第１横治具１１２は支持部材１０４上をスライドしない。このため、第２横治具１１４、１１６に載置された上端側の外廊下ユニット２４Ｂが輸送途中にスライドすることを防止又は抑制することができる。これにより、輸送用治具１０に固定された複数の外廊下ユニット２４Ａ、２４Ｂを安定して輸送することができる。
【００７０】
以上説明したように、本実施形態に係る外廊下ユニット２４Ａ、２４Ｂの輸送用治具１０により、複数の外廊下ユニット２４Ａ，２４Ｂがそれぞれ固定された状態で１つの輸送手段に積層載置することができる。
【００７１】
さらに、本実施形態に係る外廊下ユニット２４Ａ、２４Ｂの輸送用治具１０によれば、第１横治具１１２及び第２横治具１１４、１１６は、容易に取り外すことができる。このため、外廊下ユニット２４Ａ、２４Ｂをトラック等の輸送手段の荷台から直接クレーン等で吊り上げ、建物１２に直接取り付けることができる。これにより、外廊下ユニット２４Ａ、２４Ｂが固定された輸送用治具１０をトラック等の荷台から降ろし、一時的に仮置きすることが容易ではない比較的狭小な敷地でも効率よく作業をすることができる。
【００７２】
また、本実施形態に係る外廊下ユニット２４Ａ、２４Ｂの輸送用治具１０によれば、第１縦治具１２２、第２縦治具１２４及び第３縦治具１２６は、ボルト締結されているだけの構成であるため梁部材５６Ａから容易に取り外すことができる。また、下段用桁材９６や上段用桁材１００もボルト締結されているだけの構成であるため架台５２から容易に取り外すことができる。このため、輸送用治具１０を使用しない際に、分解して比較的小さなスペースで保管することができる。
【００７３】
なお、ここでは、輸送用治具１０には、外廊下ユニット２４が段積みされるとして説明したが、これに限らず、バルコニーユニット等他の建物ユニットが段積みされてもよい。
【符号の説明】
【００７４】
１０   輸送用治具
２４   外廊下ユニット（建物ユニット）
２４Ａ 外廊下ユニット（建物ユニット）
２４Ｂ 外廊下ユニット（建物ユニット）
５２   架台
９８   下側第１固定部（第１固定部）
１０２ 上側第１固定部（第１固定部）
１０６ 固定用プレート（プレート部）
１０８ 補強部材（補強部）
１１２ 第１横治具
１１４ 第２横治具
１１６ 第２横治具
１２２ 第１縦治具（縦治具）
１２４ 第２縦治具（縦治具）
１２６ 第３縦治具（縦治具）
１３８ 下側第２固定部（第２固定部）
１４２ 上側第２固定部（第２固定部）
【図１】
2020133133.tif 000003
【図２】
2020133133.tif 000004
【図３】
2020133133.tif 000005
【図４】
2020133133.tif 000006
【図５】
2020133133.tif 000007
【図６】
2020133133.tif 000008
【図７】
2020133133.tif 000009
【図８】
2020133133.tif 000010
【図９】
2020133133.tif 000011
【図１０】
2020133133.tif 000012